【事件の表示】
　平成　７年特許願第　２３０５１号「内視鏡装置」拒絶査定不服審判事件〔平成　８年　８月２７日出願公開、特開平　８−２１５１４０〕について、次のとおり審決する。
【結　論】
　本件審判の請求は、成り立たない。
【理　由】
１．手続の経緯
　本願は、平成７年２月１０日の出願であって、平成１６年７月１５日付けで拒絶査定がなされ、これに対し、同年８月１９日に審判請求がなされるとともに、同年９月２１日付けで手続補正がなされたものである。
　
２．平成１６年９月２１日付けの手続補正についての補正却下の決定
[補正却下の決定の結論]
　平成１６年９月２１日付けの手続補正を却下する。
　
[理由]
（１）本件補正発明
　本件補正により、特許請求の範囲の請求項１は次のとおりに補正された。
「【請求項１】
　内視鏡カバーと組み合わせて使用可能に設けられ、体腔内に挿入される挿入部と前記挿入部の基端側に接続した操作部を備えたカバー用内視鏡を有する内視鏡装置であって、
　前記操作部に突設された筒状の筒部材と、
　この筒部材内に摺動可能に配置された棒部材と、
　前記筒部材に接続され、当該筒部材に対して弾性変形することにより前記棒部材を摺動可能とする弾性変形部を有するスイッチカバーと、
　前記棒部材の摺動方向と略同一方向の押し込み方向となるように、前記筒部材と前記スイッチカバーによって水密的に設けられたボタン部に相対して設けられ、前記棒部材の押し込み量に応じて二つの機能を制御する二段押圧式の電気スイッチと、
　を具備することを特徴とする内視鏡装置。」（以下、「本件補正発明」という。）
　
　本件補正は、請求項１に記載した発明の構成に欠くことができない事項である「少なくとも細長の挿入部と、この挿入部の基端に接続される操作部とを、内視鏡カバーで覆ったカバー用内視鏡を有する内視鏡装置」を「内視鏡カバーと組み合わせて使用可能に設けられ、体腔内に挿入される挿入部と前記挿入部の基端側に接続した操作部を備えたカバー用内視鏡を有する内視鏡装置」と限定するものであり、同様に「前記操作部に設けられ、二段階の押し込み量にて二つの機能を制御する二段押圧式の電気スイッチと、前記操作部に対して水密的に設けられ、前記電気スイッチの押し込み方向と略同一方向の外部からの押圧操作力を受けて、前記電気スイッチを作動させるボタン部からなる作動部材と、」を「前記操作部に突設された筒状の筒部材と、この筒部材内に摺動可能に配置された棒部材と、前記筒部材に接続され、当該筒部材に対して弾性変形することにより前記棒部材を摺動可能とする弾性変形部を有するスイッチカバーと、前記棒部材の摺動方向と略同一方向の押し込み方向となるように、前記筒部材と前記スイッチカバーによって水密的に設けられたボタン部に相対して設けられ、前記棒部材の押し込み量に応じて二つの機能を制御する二段押圧式の電気スイッチと、」と限定するものであるから、特許法第１７条の２第３項第２号の特許請求の範囲の減縮を目的とするものに該当する。
　
　そこで、本件補正発明が特許出願に際して独立して特許を受けることができるものであるか（特許法第１７条の２第５項において準用する同法第１２６条第５項の規定に適合するか）について以下に検討する。
　
（２）刊行物に記載された発明
　原査定の拒絶の理由に引用文献１として示された特開平４−３６１７３２号公報（以下、「刊行物１」という。）には、図面とともに次の事項が記載されている。
ア．「【０００７】
【実施例】以下、図面を参照して本発明の実施例を説明する。図１ないし図３は本発明の第１実施例に係り、図１は内視鏡装置全体の構成を示す構成説明図、図２は送気及び送水時のスイッチと各電磁弁との動作タイミングを示すタイミングチャート、図３は吸引及び洗滌時の各スイッチと各電磁弁との動作タイミングを示すタイミングチャートである。
【０００８】図１において符号１は、本実施例の流体制御装置が適用される一例としての電子内視鏡であり、把持部を兼ねた操作部２の前方に細長な挿入部３が延設され、操作部２の側部からはユニバーサルコード４が延設されている。」
イ．「【００１５】次に、図２及び図３のタイミングチャートを参照して本実施例の動作を説明する。送気送水用のスイッチ（ＳＷ１）４６は２段式のプッシュスイッチで構成されており、図２に示すような押込状態で送気または送水が行われる。スイッチ（ＳＷ１）４６を１段押込んだ状態にすると送気動作となる。このとき、電磁弁（Ｖ５）２５が閉となり、（Ｖ１）２１が開となって内視鏡１の挿入部３の先端から送気が行われる。この状態からスイッチ（ＳＷ１）４６を離して自然状態に復帰させると、電磁弁（Ｖ５）２５が開となり、（Ｖ１）２１が閉となって送気が停止する。
【００１６】また、スイッチ（ＳＷ１）４６を２段押込んだ状態にすると送水動作になる。このとき、電磁弁（Ｖ５）２５が閉となり、（Ｖ３）２３が開となって内視鏡１の挿入部３の先端から送水される。この状態からスイッチ（ＳＷ１）４６を離して自然状態に復帰させると、まず、電磁弁（Ｖ５）２５が開となり、所定時間後に（Ｖ３）２３が閉となって送水が停止する。」
　
　また、原査定の拒絶の理由に周知例として示された実願昭６３−１３７１５６号（実開平２−５８４０１号）のマイクロフィルムには、図面とともに次の事項が記載されている。
ウ．「近年、医療分野及び工業分野において内視鏡が広く用いられる。
　例えば、医療用の内視鏡において、その周辺装置とかカメラ等のレリーズとかトリガあるいは送気・送水、送ガスおよび吸引等の操作を行う場合、内視鏡の操作部に各装置あるいは機器をオン又はオフする電気スイッチに押釦（装置）が設けられていると便利である。」（第１頁第１４行〜第２頁第１行）
エ．「第１図又は押釦装置の１つを示す第６図において、取付孔３３の周囲の外表面に凹部３４を設けてゴム等の弾性部材で形成された防水膜３５がその周縁のフランジ部３６を接合させてある。各フランジ部材３６は、上記取付孔３３に嵌入された支持部材３７によって固定されている。該支持部材３７にはフランジ部３６の内面に当接する帯状の突起３８と、フランジ部３６の端面及び内面に接合する面を有し、規制部としての段部３９が形成され、更に取付孔３３内側に突出する部分にはねじ４１が形成され、該ねじ４１はナット４２と螺合させて支持部材３７を取付孔３３に固定している。従って、このナット４２を締め込めば防水膜３５のフランジ部３６が凹部３４に押し付けられる。このとき、フランジ部３４は支持部材３７の段部３９によって径方向への弾性変形が規制されるので、フランジ部３６の外面が凹部３４に強く圧接することになる。また、防水膜３５の内面にはプランジャ４３が一体的に突設され、該プランジャ４３の先端は外装部材３２内に設けられたスイッチ４４の可動接点４５に対向している。」（第７頁第１８行〜第８頁第１９行）
オ．「上記構成の第１実施例では、例えば押釦２３ｄを操作する場合、大きな手であれば第７図に示すように親指で押当て部４７を含めて防水膜３５の略中央を押圧すれば良く、一方小さい手の場合には第８図に示すように親指で押当て部４７を押圧すれば良い。この押当て部４７を押圧して、防水膜３５を弾性変形させると、プランジャ４３がスイッチ４４に接近する方向に変位するので、該プランジャ４３の端面がスイッチ４４の可動接点４５を押圧してスイッチ４４をオン状態に設定できる。」（第１１頁第３行〜第１３行）
　
　ここで、刊行物１の送気送水用のスイッチ（ＳＷ１）は、操作部に設けられ押し込み量を与えることができるボタン部と、該ボタン部に相対して設けられ前記ボタン部による押し込み量に応じて送気・送水動作を制御する二段押圧式の電気スイッチとを備えることは、上記摘記事項ア．，イ．の記載や本件出願時の技術常識に照らして自明の事項であることから、
　刊行物１には、
「細長な挿入部と前記挿入部の後方に延設された操作部を備えた内視鏡を有する内視鏡装置であって、
　前記操作部に設けられ押し込み量を与えることができるボタン部と、
　該ボタン部に相対して設けられ前記ボタン部による押し込み量に応じて送気・送水動作を制御する二段押圧式の電気スイッチと、
　を具備する内視鏡装置。」
の発明（以下、「刊行物１発明」という。）が記載されている。
　
（３）対比
　本件補正発明と刊行物１発明とを対比すると、
　刊行物１発明の「細長な挿入部と前記挿入部の後方に延設された操作部を備えた内視鏡を有する内視鏡装置」と、本件補正発明の「内視鏡カバーと組み合わせて使用可能に設けられ、体腔内に挿入される挿入部と前記挿入部の基端側に接続した操作部を備えたカバー用内視鏡を有する内視鏡装置」とは、「体腔内に挿入される挿入部と前記挿入部の基端側に接続した操作部を備えた内視鏡を有する内視鏡装置」という点で共通するものである。
　また、刊行物１発明のボタン部は、相対する二段押圧式の電気スイッチを作動させる部材という点で本件補正発明の筒部材，棒部材，スイッチカバーからなるボタン部と対応関係を有するものであるから、
　両者は、
「体腔内に挿入される挿入部と前記挿入部の基端側に接続した操作部を備えた内視鏡を有する内視鏡装置であって、
　前記操作部に設けられ押し込み量を与えることができるボタン部と、
　該ボタン部に相対して設けられ前記ボタンによる押し込み量に応じて二つの機能を制御する二段押圧式の電気スイッチと、
　を具備する内視鏡装置。」
である点で一致し、次の点で相違する。
（相違点１）
　本件補正発明は、内視鏡カバーと組み合わせて使用可能に設けられたカバー用内視鏡であるのに対し、刊行物１発明は、カバー用内視鏡でない点。
（相違点２）
　ボタン部の構造に関し、本件補正発明では、「前記操作部に突設された筒状の筒部材と、この筒部材内に摺動可能に配置された棒部材と、前記筒部材に接続され、当該筒部材に対して弾性変形することにより前記棒部材を摺動可能とする弾性変形部を有するスイッチカバーと、」からなり、「前記棒部材の摺動方向と略同一方向の押し込み方向となるように、前記筒部材と前記スイッチカバーによって水密的に設けられたボタン部」であるのに対し、刊行物１発明では、ボタン部の具体的な構造は明らかでない点。
　
（４）判断
　上記相違点について検討する。
・相違点１について
　内視鏡カバーと組み合わせて使用可能に設けられたカバー用内視鏡は、周知技術［例えば、実願平５−１０１９２号（実開平６−６６６１７号）のマイクロフィルム（図１，図３）や実願平５−１０１９４号（実開平６−６６６０３号）のマイクロフィルム（図２，図３）などを参照。］であり、刊行物１発明の内視鏡を、内視鏡カバーと組み合わせて使用可能に設けられたカバー用内視鏡とすることは、当業者であれば適宜為し得ることにすぎない。
　
・相違点２について
　電気スイッチに対向して押釦装置が設けられた内視鏡において、前記押釦装置を、操作部の取付孔に嵌入された支持部材（本件補正発明の筒部材に相当）と、この支持部材内を移動可能に配置されたプランジャ（本件補正発明の棒部材に相当）と、前記支持部材によって固定され、当該支持部材に対して弾性変形することにより前記プランジャを移動可能とする弾性部材からなる防水膜（本件補正発明のスイッチカバーに相当）とからなり、前記プランジャの移動方向と略同一方向の押し込み方向となるように、前記支持部材と前記防水膜によって水密的に設けられた押釦装置（本件補正発明のボタン部に相当）とすることは、周知技術［例えば、上記の実願昭６３−１３７１５６号（実開平２−５８４０１号）のマイクロフィルム（上記摘記事項ウ．〜オ．及び第６図などを参照。）などを参照。］であり、刊行物１発明の二段押圧式の電気スイッチに相対して設けられたボタン部を、操作部に突設された筒状の筒部材と、この筒部材内に摺動可能に配置された棒部材と、前記筒部材に接続され、当該筒部材に対して弾性変形することにより前記棒部材を摺動可能とする弾性変形部を有するスイッチカバーとからなり、前記棒部材の摺動方向と略同一方向の押し込み方向となるように、前記筒部材と前記スイッチカバーによって水密的に設けられたボタン部とすることは、当業者であれば容易に為し得ることである。
　
　そして、本件補正発明の作用効果も、刊行物１発明及び上記周知技術から当業者であれば予測できる範囲のことである。
　したがって、本件補正発明は、刊行物１発明及び上記周知技術に基いて当業者が容易に発明をすることができたものであるから、特許法第２９条第２項の規定により、特許出願の際に独立して特許を受けることができない。
　
（５）むすび
　以上のとおり、本件補正は、特許法第１７条の２第５項で準用する同法第１２６条第５項の規定に違反するものであり、特許法第１５９条第１項の規定で読み替えて準用する同法第５３条第１項の規定により却下すべきものである。
　
３．本願発明について
（１）本願発明
　平成１６年９月２１日付けの手続補正は上記のとおり却下されたので、本願の請求項１に係る発明（以下、「本願発明」という。）は、平成１６年３月２２日付け手続補正書により補正された特許請求の範囲の請求項１に記載された次のとおりのものである。
「【請求項１】　少なくとも細長の挿入部と、この挿入部の基端に接続される操作部とを、内視鏡カバーで覆ったカバー用内視鏡を有する内視鏡装置であって、
　前記操作部に設けられ、二段階の押し込み量にて二つの機能を制御する二段押圧式の電気スイッチと、
　前記操作部に対して水密的に設けられ、前記電気スイッチの押し込み方向と略同一方向の外部からの押圧操作力を受けて、前記電気スイッチを作動させるボタン部からなる作動部材と、
　を具備することを特徴とする内視鏡装置。」
　
（２）刊行物に記載された発明
　原査定の拒絶の理由に示された刊行物及びその記載事項は、前記「２．（２）」に記載したとおりである。
　
（３）対比・判断
　本願発明は、前記２．で検討した本件補正発明における発明の構成に欠くことができない事項である「内視鏡カバーと組み合わせて使用可能に設けられ、体腔内に挿入される挿入部と前記挿入部の基端側に接続した操作部を備えたカバー用内視鏡を有する内視鏡装置」を「少なくとも細長の挿入部と、この挿入部の基端に接続される操作部とを、内視鏡カバーで覆ったカバー用内視鏡を有する内視鏡装置」とし、また「前記操作部に突設された筒状の筒部材と、この筒部材内に摺動可能に配置された棒部材と、前記筒部材に接続され、当該筒部材に対して弾性変形することにより前記棒部材を摺動可能とする弾性変形部を有するスイッチカバーと、前記棒部材の摺動方向と略同一方向の押し込み方向となるように、前記筒部材と前記スイッチカバーによって水密的に設けられたボタン部に相対して設けられ、前記棒部材の押し込み量に応じて二つの機能を制御する二段押圧式の電気スイッチと、」を「前記操作部に設けられ、二段階の押し込み量にて二つの機能を制御する二段押圧式の電気スイッチと、前記操作部に対して水密的に設けられ、前記電気スイッチの押し込み方向と略同一方向の外部からの押圧操作力を受けて、前記電気スイッチを作動させるボタン部からなる作動部材と、」としたものである。
　そうすると、本願発明の構成要件を全て含み、その一部を限定したものに相当する本件補正発明が、前記「２．（４）」に記載したとおり、刊行物１発明及び周知技術に基いて当業者が容易に発明をすることができたものであるから、本願発明も、同様の理由により、刊行物１発明及び周知技術に基いて当業者が容易に発明をすることができたものである。
　
（４）むすび
　以上のことから、本願発明は、刊行物１発明及び周知技術に基いて当業者が容易に発明をすることができたものであるから、特許法第２９条第２項の規定により特許を受けることができない。
　したがって、他の請求項に係る発明についての検討・判断を示すまでもなく、本願は拒絶されるべきものである。
　よって、結論のとおり審決する。